(57)【特許請求の範囲】
【請求項１】
両端側が左右方向に向かって延びる刺股本体と、先端に刺股本体が取付けられた柄部とを備えた刺股において、
前記刺股本体に設けられたエアバッグと、
エアバッグを膨張させる空気充填手段と、
空気充填手段を作動させるスイッチとを備えた
ことを特徴とする刺股。
【請求項２】
前記空気充填手段を、柄部に取付けられたガスボンベと、ガスボンベから吐出するガスをエアバッグに供給する空気流通路とから構成し、
空気流通路を中空パイプ状の柄部内に設けた
ことを特徴とする請求項１記載の刺股。
【請求項３】
前記ガスボンベをその長手方向が柄部の長手方向に対して平行な向き及び垂直な向きにそれぞれ変わるように長手方向一端側を中心に回動自在に取付けた
ことを特徴とする請求項２記載の刺股。
【請求項４】
前記ガスボンベが柄部に平行な向きに回動されると空気充填手段の作動可能状態を解除するスイッチを備えた
ことを特徴とする請求項３記載の刺股。
【請求項５】
前記エアバッグが膨張するとエアバッグの前方に催涙性物質を放出する催涙手段を備えた
ことを特徴とする請求項１、２、３、または４記載の刺股。
【請求項６】
前記催涙手段を、催涙性物質が収容された容器をエアバッグの膨張に連動して開放するように構成した
ことを特徴とする請求項５記載の刺股。
【請求項７】
前記催涙性物質として香辛料を用いた
ことを特徴とする請求項５または６記載の刺股。
【請求項８】
前記柄部の基端側に電源用の電池を収納する電池収納部を設け、電池収納部を中空パイプ状の柄部内に形成した
ことを特徴とする請求項１、２、３、４、５、６または７記載の刺股。
【請求項９】
前記エアバッグの膨張に連動して作動する警報ブザーを備えた
ことを特徴とする請求項１、２、３、４、５、６、７または８記載の刺股。
【発明の詳細な説明】
【技術分野】
【０００１】
本発明は、例えば学校その他各種施設の防犯または警備用、或いは警察による犯人制圧用の道具として用いられる刺股に関するものである。
【背景技術】
【０００２】
従来、この種の刺股としては、両端側が左右方向に向かって二股状に延びる刺股本体を長い柄の先端に取付け、暴漢や犯人を取り押さえる際、柄を把持して刺股本体を相手の胴体に押し付けることにより、抵抗する相手を制圧するようにしたものが知られている（例えば、特許文献１参照。）。
【特許文献１】特開２００１−２８９５９３号公報
【発明の開示】
【発明が解決しようとする課題】
【０００３】
ところで、前記刺股は、十分な訓練を受けた警察官や警備員等によって使用される場合が多いが、近年では学校等の一般施設に防犯用として配置されるものが増えている。しかしながら、従来の刺股は、重い金属製の刺股本体が用いられるとともに、その使用方法も特殊であるため、取扱いに不慣れな学校の教職員や一般人では、抵抗する相手を効果的に制圧することが困難であった。
【０００４】
本発明は前記問題点に鑑みてなされたものであり、その目的とするところは、刺股自体の取扱いに不慣れな場合であっても、相手を効果的に制圧することのできる刺股を提供することにある。
【課題を解決するための手段】
【０００５】
本発明は前記目的を達成するために、両端側が左右方向に向かって延びる刺股本体と、先端に刺股本体が取付けられた柄部とを備えた刺股において、前記刺股本体に設けられたエアバッグと、エアバッグを膨張させる空気充填手段と、空気充填手段を作動させるスイッチとを備えている。
【０００６】
これにより、スイッチによって空気充填手段を作動させると、エアバッグが膨張することから、エアバッグの膨張により相手を威嚇することができるとともに、膨張したエアバッグを相手に押し付けることにより、刺股本体よりも大きなエアバッグで相手の抵抗を阻止することができる。
【発明の効果】
【０００７】
本発明の刺股によれば、エアバッグの膨張により相手を威嚇することができるとともに、膨張したエアバッグを相手に押し付けることにより、刺股本体よりも大きなエアバッグで相手の抵抗を阻止することができるので、刺股自体の取扱いに不慣れであっても、抵抗する相手を効果的に制圧することができ、例えば学校や一般施設で用いる場合に極めて有利である。
【発明を実施するための最良の形態】
【０００８】
図１乃至図９は本発明の一実施形態を示すもので、図１は刺股の正面図、図２はその側面図、図３はその要部一部断面正面図、図４はその要部左側面図、図５はその要部右側面図、図６は電気系を示す回路構成図、図７は催涙袋の正面図、図８はガスボンベの動作を示す要部正面図、図９はエアバッグの動作を示す要部正面図である。
【０００９】
この刺股は、両端側が左右方向に向かって延びる刺股本体１と、先端に刺股本体１が取付けられた柄部２と、刺股本体１に設けられたエアバッグ３と、エアバッグ３を膨張させる空気充填手段としてのインフレータ４と、手指で操作することによりインフレータ４を作動させるメインスイッチ５と、インフレータ４の作動可能状態を解除するサブスイッチ６と、所定の警報音を発生する警報ブザー７と、インフレータ４及び警報ブザー７用の電源８と、インフレータ４の膨張に連動して催涙性物質を放出する催涙手段としての催涙袋９とから構成されている。
【００１０】
刺股本体１は、左右方向に延びる板状部材からなり、その両端側はそれぞれ斜め前方に向かって屈曲している。
【００１１】
柄部２は、先端を刺股本体１の左右方向中央に連結された中空のパイプ状部材からなり、その内部にはインフレータ４から吐出した空気をエアバッグ３に供給する空気充填手段としての空気流通路２ａが形成されている。柄部２の基端側には電源８用の乾電池１０を収納する電池収納部２ｂが設けられ、電池収納部２ｂは複数の乾電池１０を柄部２内に直列に収納するようになっている。また、柄部２の基端には電池収納部２ｂを開閉するキャップ２ｃが着脱自在に取付けられ、キャップ２ｃを取外すことにより乾電池１０の出し入れを行うようになっている。
【００１２】
エアバッグ３は、気密性及び耐久性の高い生地（例えば、全芳香族ポリエステル）を縫製または熱融着することによって袋状に形成され、刺股本体１の前面側に収縮状態で取付けられている。この場合、エアバッグ３は、柄部２の先端側に接続された空気流入パイプ３ａを介して柄部２の空気流通路２ａに連通しており、空気流通路２ａから流入する空気によって膨張するようになっている。エアバッグ３は刺股本体１に沿って左右方向に延びるように形成され、空気が充填されると左右方向両端側がそれぞれ中央部よりも前方に突出するように膨出する。
【００１３】
インフレータ４は、圧縮流体を封入したガスボンベ４ａと、火薬の爆発によってガスボンベ４ａを開封する開放器４ｂとからなり、ガスボンベ４ａから吐出する高圧ガスをエアバッグ３に供給するようになっている。ガスボンベ４ａの長手方向一端側には側方に向かって延びる連結部４ｃが設けられ、連結部４ｃは柄部２の長手方向やや基端寄りの側面に回動自在に連結されている。即ち、ガスボンベ４ａはその長手方向が柄部２の長手方向に対して平行な向き及び垂直な向きにそれぞれ変わるように連結部４ｃを中心に回動自在に取付けられている。また、連結部４ｃには柄部２の空気流通路２ａに連通する空気吐出口４ｄが設けられ、ガスボンベ４ａから吐出する空気が連結部４ｃ内を介して空気流通路２ａに流入するようになっている。また、ガスボンベ４ａの一端側にはその両側面を覆う左右一対のカバー４ｅが設けられている。尚、ガスボンベ４ａは、柄部２と平行となる回動位置と垂直となる回動位置でそれぞれ図示しないロック機構により回動を規制可能になっている。
【００１４】
メインスイッチ５は周知のスイッチボタンからなり、一方のカバー４ｅに取付けられている。
【００１５】
サブスイッチ６は周知のマイクロスイッチからなり、他方のカバー４ｅの内側に取付けられている。サブスイッチ６は、ガスボンベ４ａが柄部２と平行な向きのときにの接触部６ａが柄部２の外周面に接触してオフ（接点開放状態）となり、ガスボンベ４ａが柄部２と垂直な向きになるように回動されると、接触部６ａが柄部２の外周面から離れてオン（接点短絡状態）となる。
【００１６】
警報ブザー７は、例えば防犯用ブザー等に用いられる周知の機器からなり、他方のカバー４ｅに取付けられている。
【００１７】
電源８は、通電回路８ａによってインフレータ４、警報ブザー７、メインスイッチ５及びサブスイッチ６に接続され、メインスイッチ５及びサブスイッチ６は互いに直列に接続されている。即ち、サブスイッチ６がオフのときは、インフレータ４への通電可能状態が解除されるため、メインスイッチ５をオンに操作してもインフレータ４が作動しないようになっている。
【００１８】
催涙袋９は、胡椒や唐辛子等の香辛料からなる粉末状の催涙剤９ａを収容した容器からなり、エアバッグ３の左右方向一端側及び他端側にそれぞれ設けられている。催涙袋９は、例えば催涙剤９ａを包装したビニールパックからなり、その幅方向両端にはそれぞれ連結紐９ｂが連結されている。この場合、一方の連結紐９ｂは一端を催涙袋９に連結され、他端をエアバッグ３の左右方向一端側または他端側に連結されている。また、他方の連結紐９ｂは一端を催涙袋９に連結され、他端をエアバッグ３の左右方向中央に連結されている。即ち、催涙袋９及び連結紐９ｂは収縮状態のエアバッグ３と共に刺股本体１に収納されており、図９(a) に示すようにエアバッグ３が膨張すると、各連結紐９ｂが引張られるとともに、図９(b) に示すように各連結紐９ｂから催涙袋９に加わる張力によって催涙袋９が破断し、催涙袋９内の催涙剤９ａが前方に放出されるようになっている。
【００１９】
以上のように構成された刺股においては、ガスボンベ４ａを柄部２と平行な向きから垂直な向きに回動することにより、サブスイッチ６がオンになり、インフレータ４が作動可能な状態となる。この場合、例えば柄部２の基端側を右手で持ち、ガスボンベ４ａを左手で把持することにより、柄部２が回転しないように安定して保持することができる。ここで、メインスイッチ５をオンにすると、インフレータ４が作動し、高圧ガスがガスボンベ４ａから柄部２の空気流通路２ａを介してエアバッグ３に送り込まれ、エアバッグ３が瞬時に膨張する。その際、エアバッグ３の膨張に連動し、催涙袋９から催涙剤９ａが放出されるとともに、警報ブザー７が作動して警報音が発せられる。
【００２０】
このように、本実施形態の刺股によれば、刺股本体１にエアバッグ３を設け、メインスイッチ５の操作によりエアバッグ３を膨張させるようにしたので、例えば学校等の施設に侵入した暴漢等を制圧する際、刺股本体１を相手に向けてエアバッグ３を膨張させることにより、エアバッグ３の膨張により相手を威嚇することができる。また、膨張したエアバッグ３を相手に押し付けることにより、刺股本体１よりも大きなエアバッグ３で相手の抵抗を阻止することができる。また、ガスボンベ４ａを開封する際に発生する爆発音によっても相手を威嚇することができる。従って、刺股自体の取扱いに不慣れであっても、抵抗する相手を効果的に制圧することができ、学校や一般施設で用いる場合に極めて有利である。
【００２１】
また、エアバッグ３が膨張すると、エアバッグ３の前方に催涙剤９ａを放出するようにしたので、催涙剤９ａの刺激によって相手を萎縮させることができ、より効果的に制圧することができる。
【００２２】
この場合、催涙剤９ａを収容した催涙袋９をエアバッグの膨張に連動して開放することにより催涙剤９ａを放出するようにしたので、催涙剤９ａを簡単な構成により確実に放出することができる。この場合、催涙剤９ａとして香辛料を用いたので、安価で容易に入手可能な催涙剤９ａを用いることができ、実用化に際して極めて有利である。
【００２３】
また、エアバッグ３の膨張に連動して作動する警報ブザー７を備えているので、警報ブザー７の警報音によっても相手を威嚇することができ、より効果的に制圧することができる。
【００２４】
また、中空パイプ状に形成した柄部２の内部に空気流通路２ａを設けるとともに、ガスボンベ４ａの長手方向一端側を柄部２に連結してガスボンベ４ａの空気吐出口４ｄを柄部２内の空気流通路２ａに連通させることにより、インフレータ４のガスボンベ４ａから吐出される空気を空気流通路２ａを介してエアバッグ３に流入させるようにしたので、ガスボンベ４ａとエアバッグ３とを接続するための配管部品を別途設ける必要がなく、構造の簡素化を図ることができる。
【００２５】
この場合、ガスボンベ４ａをその長手方向が柄部２の長手方向に対して平行な向き及び垂直な向きにそれぞれ変わるように長手方向一端側を中心に回動自在に取付けたので、未使用時はガスボンベ４ａを柄部２に平行な向きにして保管することにより、保管スペースを低減することができる。また、使用する際にガスボンベ４ａを柄部２に垂直な向きにすることにより、ガスボンベ４ａを把持して柄部２が回転しないように安定して保持することができるので、操作性の向上を図ることができる。
【００２６】
また、ガスボンベ４ａが柄部２に平行な向きに回動されると、サブスイッチ６がオフになり、インフレータ４の作動可能状態が解除されるようにしたので、未使用時に誤ってメインスイッチ５を押してもインフレータ４が作動することがなく、未使用時のインフレータ４の誤作動を確実に防止することができる。
【００２７】
更に、柄部２の基端側に電源８用の乾電池１０を収納する電池収納部２ｂを設け、電池収納部２ｂを柄部２内に乾電池１０を収納するように形成したので、乾電池１０の収納部を柄部２の外部に設ける必要がなく、構造の簡素化を図ることができる。
【００２８】
尚、前記実施形態では、ガスボンベ４ａを柄部２に回動自在に取付けたものを示したが、柄部２に平行な向きまたは垂直な向きに固定するようにしてもよい。また、前記実施形態では、催涙剤９ａを催涙袋９に収納したものを示したが、催涙剤９ａを収納する容器としてはカプセル等の他の形態のものを用いることもでき、催涙剤９ａとしては周知の催涙性の化学物質を用いることも可能である。
【図面の簡単な説明】
【００２９】
【図１】本発明の一実施形態を示す刺股の正面図
【図２】刺股の側面図
【図３】刺股の要部一部断面正面図
【図４】刺股の要部左側面図
【図５】刺股の要部右側面図
【図６】電気系を示す回路構成図
【図７】催涙袋の正面図
【図８】ガスボンベの動作を示す要部正面図
【図９】エアバッグの動作を示す要部正面図
【符号の説明】
【００３０】
１…刺股本体、２…柄部、２ａ…空気流通路、２ｂ…電池収納部、３…エアバッグ、４…インフレータ、４ａ…ガスボンベ、５…メインスイッチ、６…サブスイッチ、７…警報ブザー、８…電源、９…催涙袋、９ａ…催涙剤。
【図１】
0004672475.tif 000002
【図２】
0004672475.tif 000003
【図３】
0004672475.tif 000004
【図４】
0004672475.tif 000005
【図５】
0004672475.tif 000006
【図６】
0004672475.tif 000007
【図７】
0004672475.tif 000008
【図８】
0004672475.tif 000009
【図９】
0004672475.tif 000010